(57)【要約】空気調和機の室内機、空気調和機の室外機及び空気調和機の制御方法であって、空気調和機の室内機（１００）のケーシング（１）には第１吹出口（１１１ａ）と下方に位置する第２吹出口（１１１ｂ）が形成され、吹出ドアユニット（４）が第２吹出口（１１１ｂ）の箇所に設けられ且つケーシング（１）との間に吹出通路（７ａ）が画定され、吹出通路（７ａ）の吹出端（７０ａ）が第２吹出口（１１１ｂ）の前側に位置し且つ環状を呈し、吹出通路（７ａ）は上吹出通路（７１ａ）と下吹出通路（７２ａ）とを含み、上吹出通路（７１ａ）の少なくとも一部は第１調整ダクト領域（７１１ａ）であり、第１開閉機構（５）は第１調整ダクト領域（７１１ａ）を開閉することに用いられる。【選択図】図５
2021519904.tif 000002
【特許請求の範囲】
【請求項１】
空気調和機の室内機であって、
吸込口、第１吹出口、及び前記第１吹出口の下方に位置する第２吹出口が形成されるケーシングと、
前記第２吹出口の箇所に設けられ且つ前記ケーシングに接続される吹出ドアユニットであって、前記空気調和機の室内機が動作するとき、前記吹出ドアユニットと前記ケーシングとの間に吹出通路が画定され、前記吹出通路の吹出端が前記第２吹出口の前側に位置し且つ環状を呈し、前記第２吹出口の中心点を通過する水平面が基準面であり、前記吹出通路の前記基準面の上方に位置する部分は、上吹出通路であり、前記吹出通路の前記基準面の下方に位置する部分は、下吹出通路であり、前記上吹出通路の少なくとも一部は、第１調整ダクト領域である吹出ドアユニットと、
前記第１調整ダクト領域を開閉するための第１開閉機構であって、前記吹出ドアユニットに移動可能に設けられる第１開閉機構と、
前記ケーシング内に設けられる熱交換器部材及びダクト部材と、を含む、
ことを特徴とする空気調和機の室内機。
【請求項２】
前記第１調整ダクト領域と前記吹出通路との同一の平面における投影の面積比の値の範囲が１／１０〜１／２であり、前記平面は、前記第２吹出口の中心軸線に垂直である、
ことを特徴とする請求項１に記載の空気調和機の室内機。
【請求項３】
前記第１開閉機構は、前記上吹出通路内に回転可能に設けられ、前記第１調整ダクト領域を開閉する、
ことを特徴とする請求項１又は２に記載の空気調和機の室内機。
【請求項４】
前記第１開閉機構は、前記第１調整ダクト領域に回転可能に設けられ、前記第１調整ダクト領域を開閉する少なくとも１つの第１導風板を含む、
ことを特徴とする請求項３に記載の空気調和機の室内機。
【請求項５】
前記第１開閉機構は、
前記吹出通路の前記吹出端の周方向に沿って配列される複数の前記第１導風板と、
各前記第１導風板が回転可能に接続され、左右方向に沿って移動可能である第１連結ロッドと、を含み、
前記第１開閉機構が前記第１調整ダクト領域を閉じたとき、複数の前記第１導風板が順次重ね接続され、前記第１開閉機構が前記第１調整ダクト領域を開いたとき、隣接する２つの前記第１導風板の間には、気流が流れる気流通路が画定される、
ことを特徴とする請求項４に記載の空気調和機の室内機。
【請求項６】
前記吹出ドアユニットは、
前記ケーシング内に位置し且つ前記ケーシングに接続される吹出ドアサポートと、
ドア本体と、前記ドア本体に設けられた接続ベースとを含む吹出ドアであって、前記接続ベースは、前記吹出ドアサポートに接続され、前記空気調和機の室内機が動作するとき、前記ドア本体は、前記第２吹出口の前側に位置し且つ前記第２吹出口と離間しており、前記吹出ドアサポート、前記吹出ドア及び前記ケーシングの間に前記吹出通路が画定される吹出ドアと、を含む、
ことを特徴とする請求項１〜５のいずれか１項に記載の空気調和機の室内機。
【請求項７】
前記第１開閉機構は、前記吹出ドアサポートに移動可能に設けられ、前記第１調整ダクト領域を開閉する、
ことを特徴とする請求項６に記載の空気調和機の室内機。
【請求項８】
前記吹出ドアサポートには、前記吹出通路の一部となる環状通路が形成され、前記第１開閉機構は、前記環状通路内に回転可能に設けられ、前記第１調整ダクト領域を開閉する、
ことを特徴とする請求項７に記載の空気調和機の室内機。
【請求項９】
前記吹出ドアは、開位置と閉位置との間で前後方向に沿って移動可能であり、前記吹出ドアが前記開位置にあるとき、前記ドア本体は、前記第２吹出口の前側に位置し、且つ前記第２吹出口と離間しており、前記第２吹出口を開き、前記吹出ドアが前記閉位置にあるとき、前記ドア本体は、前記第２吹出口と結合して、前記第２吹出口を閉じる、
ことを特徴とする請求項６に記載の空気調和機の室内機。
【請求項１０】
前記吹出ドアサポートと前記接続ベースのうちの一方には、ガイド溝を有し、前記吹出ドアサポートと前記接続ベースのうちの他方には、前記ガイド溝と結合するガイド部を有し、前記ガイド部と前記ガイド溝は、前後方向に相対移動可能である、
ことを特徴とする請求項９に記載の空気調和機の室内機。
【請求項１１】
前記ガイド溝と前記ガイド部は、いずれも環状に形成される、
ことを特徴とする請求項１０に記載の空気調和機の室内機。
【請求項１２】
前記吹出ドアユニットは、前記吹出ドアを前後方向に移動するように駆動するための駆動機構を含み、前記駆動機構は、前記吹出ドアサポートに設けられ、且つ前記接続ベースに接続される、
ことを特徴とする請求項９に記載の空気調和機の室内機。
【請求項１３】
前記駆動機構は、複数であり、且つ前記接続ベースの周方向に沿って配列されている、
ことを特徴とする請求項１２に記載の空気調和機の室内機。
【請求項１４】
前記ドア本体の前記第２吹出口に向いている壁面は、前記吹出通路の一部の内壁面を構成し、前記ドア本体の前記第２吹出口に向いている少なくとも一部の壁面は、導流面として形成され、前記ドア本体の中心から前記ドア本体の外周縁までの方向において、前記導流面は、前へ傾斜して延びている、
ことを特徴とする請求項６に記載の空気調和機の室内機。
【請求項１５】
前記ケーシング内に上下移動可能に設けられ、前記第１吹出口を開閉する開閉ドアを含む、
ことを特徴とする請求項１〜１４のいずれか１項に記載の空気調和機の室内機。
【請求項１６】
前記ケーシングには、前記第２吹出口の下方に位置する第３吹出口が形成され、前記下吹出通路の少なくとも一部は、第２調整ダクト領域であり、
前記吹出ドアユニットは、
前記第２調整ダクト領域を開閉するための第２開閉機構であって、前記吹出ドアユニットに移動可能に設けられる第２開閉機構をさらに含む、
ことを特徴とする請求項１〜１５のいずれか１項に記載の空気調和機の室内機。
【請求項１７】
前記第２開閉機構は、前記下吹出通路内に回転可能に設けられ、前記第２調整ダクト領域を開閉する、
ことを特徴とする請求項１６に記載の空気調和機の室内機。
【請求項１８】
空気調和機であって、
請求項１〜１７のいずれか１項に記載の空気調和機の室内機と、
前記空気調和機の室内機に接続されて冷媒サイクルを構成する空気調和機の室外機と、を含む、
ことを特徴とする空気調和機。
【請求項１９】
請求項１８に記載の空気調和機の制御方法であって、
前記空気調和機は、冷房モードと暖房モードを有し、
前記制御方法は、
前記空気調和機の現在の動作モードを判断するステップと、
前記空気調和機の現在の動作モードに基づいて前記第１開閉機構を制御し、前記空気調和機が前記冷房モードである場合、前記第１開閉機構が前記第１調整ダクト領域を開くように制御し、前記空気調和機が前記暖房モードである場合、前記第１開閉機構が前記第１調整ダクト領域を閉じるように制御するステップと、を含む、
ことを特徴とする空気調和機の制御方法。
【請求項２０】
前記ケーシングには、前記第２吹出口の下方に位置する第３吹出口が形成され、前記下吹出通路の少なくとも一部は、第２調整ダクト領域であり、前記吹出ドアユニットは、前記第２調整ダクト領域を開閉するための第２開閉機構であって、前記吹出ドアユニットに移動可能に設けられる第２開閉機構をさらに含み、
前記空気調和機が前記冷房モードである場合、前記第１開閉機構が前記第１調整ダクト領域を開き、且つ前記第２開閉機構が前記第２調整ダクト領域を閉じるように制御し、
前記空気調和機が前記暖房モードである場合、前記第１開閉機構が前記第１調整ダクト領域を閉じ、且つ前記第２開閉機構が前記第２調整ダクト領域を開くように制御する、
ことを特徴とする請求項１９に記載の空気調和機の制御方法。  
【発明の詳細な説明】
【関連出願の相互参照】
【０００１】
本出願は、出願番号が２０１９１０１３８７６９．２、２０１９２０２３９６４５．９、出願日がいずれも２０１９年２月２５日の中国特許出願に基づいて提案され、該中国特許出願の優先権を主張し、これら中国特許出願の全内容が引用により本出願に組み込まれる。
【技術分野】
【０００２】
本出願は空気処理装置の技術分野に関し、特に空気調和機の室内機、空気調和機及び空気調和機の制御方法に関する。
【背景技術】
【０００３】
空気調和機は常用の空気調和装置の１つとしては、室内の環境温度を調整することに適用されている（一部の空気調和機は、環境湿度を調整し、空気を浄化する等の機能をさらに有する）。関連技術においては、空気調和機が動作するとき、空気調和機の室内機の吹出方向が単一であるため、室内の環境温度が不均一になってしまう。また、空気調和機が暖房運転するとき、室内の底層温度が低く、足が冷たくなり、快適性を低減させる。
【発明の概要】
【０００４】
本出願の目的は、従来技術に存在する技術問題の１つを少なくとも解決することである。そのため、本出願の１つの目的は、立体的な吹出効果を実現でき且つ快適性を向上できる空気調和機の室内機を提供することである。
【０００５】
本出願は、さらに、上記空気調和機の室内機を有する空気調和機を提供する。
【０００６】
本出願は、さらに、上記空気調和機の制御方法を提供する。
【０００７】
本出願の第１実施形態に係る空気調和機の室内機は、吸込口、第１吹出口、及び前記第１吹出口の下方に位置する第２吹出口が形成されるケーシングと、前記第２吹出口の箇所に設けられ且つ前記ケーシングに接続される吹出ドアユニットであって、前記空気調和機の室内機が動作するとき、前記吹出ドアユニットと前記ケーシングとの間に吹出通路が画定され、前記吹出通路の吹出端が前記第２吹出口の前側に位置し且つ環状を呈し、前記第２吹出口の中心点を通過する水平面が基準面であり、前記吹出通路の前記基準面の上方に位置する部分は、上吹出通路であり、前記吹出通路の前記基準面の下方に位置する部分は、下吹出通路であり、前記上吹出通路の少なくとも一部は、第１調整ダクト領域である吹出ドアユニットと、前記第１調整ダクト領域を開閉するための第１開閉機構であって、前記吹出ドアユニットに移動可能に設けられる第１開閉機構と、前記ケーシング内に設けられる熱交換器部材及びダクト部材と、を含む。
【０００８】
本出願の実施例に係る空気調和機の室内機は、空気調和機が動作するとき、第２吹出口の吹出端を環状にすることで、第２吹出口が周りへ吹き出すようにし、前へ吹き出す第１吹出口と連携して、空気調和機の立体的な吹出効果を実現し、室内温度の均一性を改善することができ、且つ、設置された第１開閉機構により、必要に応じて、第１開閉機構が第１調整ダクト領域を開閉するように制御することができ、空気調和機が冷房運転するとき、第１調整ダクト領域を開くことができ、それにより、冷房時の吹出量を向上でき、且つ第１調整ダクト領域から吹出された風は、冷気を僅かに突き上げる役割を有し、空気調和機が暖房運転するとき、該第１調整ダクト領域を閉じることができ、それにより、温風は、下吹出通路に対応する吹出端の一部を介して下へ床面まで吹き出され、それにより、室内の底部の空気温度を向上させ、快適性を向上させる。
【０００９】
本出願のいくつかの実施例によれば、前記第１調整ダクト領域と前記吹出通路との同一の平面における投影の面積比の値の範囲が１／１０〜１／２であり、前記平面は前記第２吹出口の中心軸線に垂直である。
【００１０】
本出願のいくつかの実施例によれば、前記第１開閉機構は、前記上吹出通路内に回転可能に設けられ、前記第１調整ダクト領域を開閉する。
【００１１】
本出願のいくつかの好適な実施例によれば、前記第１開閉機構は、前記第１調整ダクト領域に回転可能に設けられ、前記第１調整ダクト領域を開閉する少なくとも１つの第１導風板を含む。
【００１２】
さらに、前記第１開閉機構は、前記吹出通路の前記吹出端の周方向に沿って配列される複数の前記第１導風板と、各前記第１導風板が回転可能に接続され、左右方向に沿って移動可能である第１連結ロッドと、を含み、前記第１開閉機構が前記第１調整ダクト領域を閉じたとき、複数の前記第１導風板が順次重ね接続され、前記第１開閉機構が前記第１調整ダクト領域を開いたとき、隣接する２つの前記第１導風板の間には、気流が流れる気流通路が画定される。
【００１３】
本出願のいくつかの実施例によれば、前記吹出ドアユニットは、前記ケーシング内に位置し且つ前記ケーシングに接続される吹出ドアサポートと、ドア本体と、前記ドア本体に設けられた接続ベースとを含む吹出ドアであって、前記接続ベースは、前記吹出ドアサポートに接続され、前記空気調和機の室内機が動作するとき、前記ドア本体は、前記第２吹出口の前側に位置し且つ前記第２吹出口と離間しており、前記吹出ドアサポート、前記吹出ドア及び前記ケーシングの間に前記吹出通路が画定される吹出ドアと、を含む。
【００１４】
本出願のいくつかの好適な実施例によれば、前記第１開閉機構は、前記吹出ドアサポートに移動可能に設けられ、前記第１調整ダクト領域を開閉する。
【００１５】
さらに、前記吹出ドアサポートには、前記吹出通路の一部となる環状通路が形成され、前記第１開閉機構は、前記環状通路内に回転可能に設けられ、前記第１調整ダクト領域を開閉する。
【００１６】
本出願のいくつかの好適な実施例によれば、前記吹出ドアは、開位置と閉位置との間で前後方向に沿って移動可能であり、前記吹出ドアが前記開位置にあるとき、前記ドア本体は、前記第２吹出口の前側に位置し、且つ前記第２吹出口と離間しており、前記第２吹出口を開き、前記吹出ドアが前記閉位置にあるとき、前記ドア本体は、前記第２吹出口と結合して、前記第２吹出口を閉じる。
【００１７】
好ましくは、前記吹出ドアサポートと前記接続ベースのうちの一方には、ガイド溝を有し、前記吹出ドアサポートと前記接続ベースのうちの他方には、前記ガイド溝と結合するガイド部を有し、前記ガイド部と前記ガイド溝は、前後方向に相対移動可能である。
【００１８】
好ましくは、前記ガイド溝と前記ガイド部は、いずれも環状に形成される。
【００１９】
本出願のいくつかの好適な実施例によれば、前記吹出ドアユニットは、前記吹出ドアを前後方向に移動するように駆動するための駆動機構であって、前記吹出ドアサポートに設けられ且つ前記接続ベースに接続される駆動機構を含む。
【００２０】
好ましくは、前記駆動機構は、複数であり、且つ前記接続ベースの周方向に沿って配列されている。
【００２１】
本出願のいくつかの好適な実施例によれば、前記ドア本体の前記第２吹出口に向いている壁面は、前記吹出通路の一部の内壁面を構成し、前記ドア本体の前記第２吹出口に向いている少なくとも一部の壁面は、導流面として形成され、前記ドア本体の中心から前記ドア本体の外周縁までの方向において、前記導流面は、前へ傾斜して延びている。
【００２２】
本出願のいくつかの実施例によれば、前記空気調和機の室内機は、前記ケーシング内に上下移動可能に設けられ、前記第１吹出口を開閉する開閉ドアを含む。
【００２３】
本出願のいくつかの実施例によれば、前記ケーシングには、前記第２吹出口の下方に位置する第３吹出口が形成され、前記下吹出通路の少なくとも一部は、第２調整ダクト領域であり、前記吹出ドアユニットは、前記第２調整ダクト領域を開閉するための第２開閉機構であって、前記吹出ドアユニットに移動可能に設けられる第２開閉機構をさらに含む。
【００２４】
好ましくは、前記第２開閉機構は、前記下吹出通路内に回転可能に設けられ、前記第２調整ダクト領域を開閉する。
【００２５】
本出願の第２実施形態に係る空気調和機は、本出願の上記第１実施形態に係る空気調和機の室内機と、前記空気調和機の室内機に接続されて冷媒サイクルを構成する空気調和機の室外機と、を含む。
【００２６】
本出願の実施例に係る空気調和機、上記空気調和機の室内機を設置することにより、空気調和機の立体的な吹出効果を実現し、室内温度の均一性を改善し、且つ空気調和機が暖房運転するとき、室内の底部の空気温度を向上させ、快適性を向上させる。
【００２７】
本出願の第３実施形態に係る空気調和機の制御方法では、前記空気調和機は本出願の上記第２実施形態に係る空気調和機であり、前記空気調和機は、冷房モードと暖房モードを有し、前記制御方法は、前記空気調和機の現在の動作モードを判断するステップと、前記空気調和機の現在の動作モードに基づいて前記第１開閉機構を制御し、前記空気調和機が前記冷房モードである場合、前記第１開閉機構が前記第１調整ダクト領域を開くように制御し、前記空気調和機が前記暖房モードである場合、前記第１開閉機構が前記第１調整ダクト領域を閉じるように制御するステップと、を含む。
【００２８】
本出願の実施例に係る空気調和機の制御方法では、空気調和機が冷房運転するとき、冷房時の大きな吹出量を有することができ、空気調和機が暖房運転するとき、室内の底部の空気温度を向上させ、快適性を向上させる。
【００２９】
本出願のいくつかの実施例によれば、前記ケーシングには、前記第２吹出口の下方に位置する第３吹出口が形成され、前記下吹出通路の少なくとも一部は、第２調整ダクト領域であり、前記吹出ドアユニットは、前記第２調整ダクト領域を開閉するための第２開閉機構であって、前記吹出ドアユニットに移動可能に設けられる第２開閉機構をさらに含み、前記空気調和機が前記冷房モードである場合、前記第１開閉機構が前記第１調整ダクト領域を開き、且つ前記第２開閉機構が前記第２調整ダクト領域を閉じるように制御し、前記空気調和機が前記暖房モードである場合、前記第１開閉機構が前記第１調整ダクト領域を閉じ、且つ前記第２開閉機構が前記第２調整ダクト領域を開くように制御する。
【００３０】
本出願の追加の態様及び利点は、以下の説明において部分的に説明され、その一部は、以下の説明から明らかになるか、又は本出願を実施することによって把握できる。
【図面の簡単な説明】
【００３１】
本出願の上記及び／又は追加の態様及び利点は、以下の図面を参照しながら実施例を説明することによって明らかで容易に理解できるようになる。
【００３２】
【図１】本出願の一実施例に係る空気調和機の室内機の斜視図である。
【図２】図１における空気調和機の室内機の縦断面図である。
【図３】図１における空気調和機の室内機が冷房モードであるときの吹出模式図である。
【図４】図１における空気調和機の室内機が冷房モードであるときの第１開閉機構の状態模式図である。
【図５】図１における空気調和機の室内機が暖房モードであるときの吹出模式図１である。
【図６】図１における空気調和機の室内機が暖房モードであるときの吹出模式図２である。
【図７】図１における空気調和機の室内機が暖房モードであるときの第１開閉機構の状態模式図である。
【図８】吹出ドアが第２吹出口を閉じた、図１における空気調和機の室内機の吹出ドアユニットの斜視図である。
【図９】吹出ドアが第２吹出口を開いた、図１における空気調和機の室内機の吹出ドアユニットの斜視図である。
【図１０】図１における空気調和機の室内機の吹出ドアユニットの分解図である。
【図１１】吹出ドアが第２吹出口を閉じた、図１における空気調和機の室内機の吹出ドアユニットの縦断面図である。
【図１２】吹出ドアが第２吹出口を開いた、図１における空気調和機の室内機の吹出ドアユニットの縦断面図である。
【図１３】本出願の他の実施例に係る空気調和機の室内機の模式図である。
【図１４】図１３における空気調和機の室内機が冷房モードであるときの第１開閉機構と第２開閉機構の状態模式図である。
【図１５】図１３における空気調和機の室内機が暖房モードであるときの第１開閉機構と第２開閉機構の状態模式図である。
【発明を実施するための形態】
【００３３】
以下、本出願の実施例を詳細に説明し、前記実施例の例は、図面に示され、図面を通じて同じ又は類似した符号は、同じ又は類似した素子又は同じ又は類似した機能を有する素子を示す。以下、図面を参照しながら説明する実施例は、例示的なものであり、本出願を解釈するためのものにすぎず、本出願を制限するものとして理解すべきではない。
【００３４】
以下、図面を参照しながら、本出願の実施例に係る空気調和機の室内機１００について説明する。
【００３５】
図１と図２に示すように、本出願の第１実施形態に係る空気調和機の室内機１００は、ケーシング１、吹出ドアユニット４、熱交換器部材２、ダクト部材３及び第１開閉機構５を含む。好ましくは、空気調和機の室内機１００は床置型空気調和機の室内機であってもよく、壁掛け型空気調和機の室内機であってもよい。
【００３６】
具体的には、ケーシング１には、吸込口１２ａ、第１吹出口１１１ａ、及び第１吹出口１１１ａの下方に位置する第２吹出口１１１ｂが形成され、熱交換器部材２とダクト部材３がケーシング１内に設けられる。空気調和機が動作するとき、第１吹出口１１１ａ及び第２吹出口１１１ｂは、いずれも開き、ダクト部材３は、空気が吸込口１２ａからケーシング１内に入り、熱交換器部材２と熱交換するように駆動し、空気が熱交換器部材２と熱交換した後に少なくとも第１吹出口１１１ａ及び第２吹出口１１１ｂから室内に吹き出され、それにより、室内の環境温度を調整することができる。
【００３７】
たとえば、図１及び図２の例においては、空気調和機の室内機１００は、空気調和機の床置型室内機であり、ケーシング１の横断面が略円形であり、ケーシング１は、前後に設置され且つ互いに接続されたフロントパネル部材１１及びバックパネル部材１２と、それぞれフロントパネル部材１１の上下両側に設けられたカバー部材１３と、ベース部材１４と、を含み、フロントパネル部材１１は、上フロントパネル部材１１１と下フロントパネル部材１１２を含み、それにより、互いに上下に接続された上フロントパネル部材１１１と下フロントパネル部材１１２を含むようにフロントパネル部材１１を設置することで、フロントパネル部材１１の構造強度を向上させることができる。吸込口１２ａは、バックパネル部材１２に形成され、第１吹出口１１１ａ及び第２吹出口１１１ｂは、いずれも、上下方向に間隔を開けて配列されるように上フロントパネル部材１１１に形成され、熱交換器部材２及びダクト部材３は、いずれも、気流の流れ方向に沿って配列されるようにケーシング１内に設けられる。
【００３８】
また、図２を参照すると、ダクト部材３は、ダクト取付板３０、第１ダクト部材３１、第１インペラー３１ｂ、第１モーター３１ｃ、第２ダクト部材３２、第２インペラー３２ｂ、第２モーター３２ｃ、第３ダクト部材３３、第３インペラー３３ｂ及び第３モーター３３ｃを含む。第１ダクト部材３１、第２ダクト部材３２及び第３ダクト部材３３は、いずれもダクト取付板３０に設けられ、ここで、第１ダクト部材３１及び第２ダクト部材３２は、気流の流れ方向に沿って順次対向して配列され、第３ダクト部材３３は、第１ダクト部材３１及び第２ダクト部材３２の下方に位置する。第１ダクト部材３１は、第１ダクト３１ａを有し、第１インペラー３１ｂは、第１ダクト３１ａ内に設けられ、第１モーター３１ｃは、第１インペラー３１ｂに接続され且つ第１インペラー３１ｂの後側に位置し、第２ダクト部材３２は、第１ダクト３１ａに対向して連通する第２ダクト３２ａを有し、第２インペラー３２ｂは、第２ダクト３２ａ内に設けられ、第２モーター３２ｃは、第２インペラー３２ｂに接続され且つ第２インペラー３２ｂの前側に位置し、第３ダクト部材３３は、第３ダクト３３ａを有し、第３インペラー３３ｂは、第３ダクト３３ａ内に設けられ、第３モーター３３ｃは、第３インペラー３３ｂに接続され且つ第３インペラー３３ｂの前側に位置する。第１インペラー３１ｂ及び第２インペラー３２ｂが回転するとき、第１吹出口１１１ａへ送風し、第３インペラー３３ｂが回転するとき、第２吹出口１１１ｂへ送風する。
【００３９】
好ましくは、第１インペラー３１ｂは、軸流インペラーであってもよく、又は斜流インペラーであってもよく、第２インペラー３２ｂは、軸流インペラーであってもよく、又は斜流インペラーであってもよく、第３インペラー３３ｂは、軸流インペラーであってもよく、又は斜流インペラーであってもよい。
【００４０】
第１インペラー３１ｂと第２インペラー３２ｂとは、回転方向が逆であってもよく、且つそれらの送風方向が同じであってもよく、両方とも第１吹出口１１１ａへ送風する。例えば、第１インペラー３１ｂが反時計回りで回転すると、第２インペラー３２ｂが時計回りで回転し、第１インペラー３１ｂが時計回りで回転すると、第２インペラー３２ｂが反時計回りで回転する。また、第１インペラー３１ｂ及び第２インペラー３２ｂが回転中に生じた気流は、すべて第１吹出口１１１ａの方向へ流れ、第１インペラー３１ｂ、第１モーター３１ｃ、第２インペラー３２ｂ及び第２モーター３２ｃは、二重反転ファンを構成し、すなわち、第１インペラー３１ｂの羽根の傾斜方向と第２インペラー３２ｂの羽根の傾斜方向とが反対であるので、第１インペラー３１ｂと第２インペラー３２ｂが空気の流れ方向において互いにガイド羽根となり、気流の接線方向の回転速度を低減（第１インペラー３１ｂと第２インペラー３２ｂの回転数が異なる場合）又は解消し（第１インペラー３１ｂと第２インペラー３２ｂの回転数が同じである場合）（すなわち、動圧から静圧へ変換する）、空気に対する二重反転ファンの仕事効率を向上させ、且つ２つのインペラーを通過した気流がすべて吹出口の方向へ流れるため、遠距離送風の効果を実現する。だだし、単一のクロスフローファン、軸流ファン又は斜流ファンに比べて、二重反転ファンにおける第１インペラー３１ｂと第２インペラー３２ｂが異なる速度で逆方向に回転するかまたは同じ速度で逆方向に回転するかに関わらず、二重反転ファンは、より遠距離の送風を実現できる。
【００４１】
そのほか、第１インペラー３１ｂと第２インペラー３２ｂとが異なる回転数である場合、吹き出された風の輸送範囲を大きくすることができる。一方のインペラーが高い回転数で回転し、他方のインペラーが低い回転数で回転するとき、回転数の高いインペラーは、主導的な役割を果たし、単段軸流ファン又は斜流ファンの羽根の気流の出口角度に基づき回転軸から外れる方向を設計することにより、軸流インペラー又は斜流インペラー自体が風拡散効果を有するようになり、このため、第１吹出口１１１ａから流出した風の角度範囲が大きくなり、それにより、広角度で送風することを実現する。また、同様に、軸流インペラー又は斜流インペラー自体が風拡散効果を有することにより、必要に応じて第１インペラー３１ｂと第２インペラー３２ｂが差動回転するようにこれらの回転数を調整し、それにより、風を柔らかくする送風又は無風感の送風を実現し、冷気が第１吹出口１１１ａからユーザーへ直接吹き出すことによるユーザーの不快感を回避する。従って、本出願の実施例の空気調和機の室内機１００は、微孔付きの導風板を必要とせずに、風を柔らかくする送風又は無風感の送風を実現することができ、風量の損失が少ない。
【００４２】
だだし、広角度の送風及び無風感の送風を実現するために、二重反転ファンの一方のインペラーに対応するモーターが動作せず、他方のインペラーが吹出口側へ正方向に送風するようにしてもよい。また、広角度の送風及び無風感の送風を実現するために、二重反転ファンの一方のインペラーがケーシング１の内側へ逆方向に送風し、他方のインペラーが正方向に送風するようにしてもよい。「正方向送風」とは、インペラーの作用により気流が吹出口から吹き出されることであり、「逆方向送風」とは、気流がケーシング１の内側へ吹き込まれることである。
【００４３】
吹出ドアユニット４は、第２吹出口１１１ｂの箇所に設けられ且つケーシング１に接続され、空気調和機の室内機１００が動作するとき、吹出ドアユニット４とケーシング１との間に吹出通路７ａが画定され、吹出通路７ａの吹出端７０ａが第２吹出口１１１ｂの前側に位置し且つ環状を呈し、吹出通路７ａの吹出端７０ａの中心軸線が前後方向に延びてもよく、第２吹出口１１１ｂの中心点を通過する水平面が基準面である。上記基準面の上方に位置する吹出通路７ａの一部は、上吹出通路７１ａであり、上記基準面の下方に位置する吹出通路７ａの一部は、下吹出通路７２ａであり、上吹出通路７１ａの少なくとも一部は、第１調整ダクト領域７１１ａであり、たとえば、上吹出通路７１ａの一部のみが第１調整ダクト領域７１１ａであってもよく、上吹出通路７１ａ全体が第１調整ダクト領域７１１ａであってもよい。
【００４４】
それにより、空気調和機が動作するとき、気流は、吹出通路７ａを通過した後に吹出通路７ａの吹出端７０ａを介して室内まで吹き出され、このとき、第２吹出口１１１ｂによる円周方向の吹出を実現でき、第２吹出口１１１ｂから吹き出された風が第２吹出口１１１ｂの周りへ流れることができ、それにより、第２吹出口１１１ｂが周りへ吹き出し、前へ吹き出す第１吹出口１１１ａと連携して、空気調和機の立体的な吹出効果を実現し、室内温度の均一性を改善することができる。
【００４５】
好ましくは、上記吹出通路７ａ全体が第２吹出口１１１ｂの前側に位置してもよく、それにより、第２吹出口１１１ｂから吹き出された風は、吹出通路７ａを流れて吹出通路７ａの吹出端７０ａを介して室内へ吹き出され、上記吹出通路７ａの一部がケーシング１内に位置してもよく、この場合、第２吹出口１１１ｂ内に画定された空間を吹出通路７ａの一部とすることができ、吹出通路７ａの他の一部が第２吹出口１１１ｂを貫通して第２吹出口１１１ｂの前側まで延びており、それにより、ケーシング１内で熱交換した気流は、吹出通路７ａの上記一部を流れた後、第２吹出口１１１ｂを通過して、第２吹出口１１１ｂの前側に位置する吹出通路７ａの一部に流れ、最終的に吹出通路７ａの吹出端７０ａを介して室内へ吹き出される。
【００４６】
第１開閉機構５は、第１調整ダクト領域７１１ａを開閉することに用いられ、吹出ドアユニット４に移動可能に設けられ、第１開閉機構５の移動により、第１調整ダクト領域７１１ａの開閉を実現できる。第１調整ダクト領域７１１ａが閉じられたとき、第１調整ダクト領域７１１ａに対応する吹出端７０ａの一部が閉じられ、このとき、第２吹出口１１１ｂから流出した気流は、第１調整ダクト領域７１１ａに対応する部分以外の吹出端７０ａからしか室内まで流出することができず、たとえば、気流は、下吹出通路７２ａに対応する吹出端７０ａの一部から室内まで流出することができ、第１調整ダクト領域７１１ａが開かれたとき、第１調整ダクト領域７１１ａに対応する吹出端７０ａの一部が開かれ、このとき、第２吹出口１１１ｂから流出した気流は、吹出通路７ａ全体に対応する吹出端７０ａ全体から室内まで流出することができ、このとき、吹出量を増大できる。
【００４７】
好ましくは、第１開閉機構５は、吹出ドアユニット４に移動可能に設けられてもよく、この場合、第１開閉機構５の移動により、第１調整ダクト領域７１１ａを開閉することができ、第１開閉機構５は、吹出ドアユニット４に回転可能に設けられてもよく、この場合、第１開閉機構５の回転により、第１調整ダクト領域７１１ａを開閉することができる。
【００４８】
それにより、空気調和機が動作するとき、空気調和機の動作モードに応じて、第１調整ダクト領域７１１ａを開閉するように第１開閉機構５を移動させることができる。
【００４９】
たとえば、空気調和機が冷房モードである場合（図３及び図４参照、図における矢印方向は、気流の流れ方向である）、第１開閉機構５を移動させて、第１調整ダクト領域７１１ａを開くことができ、このとき、第２吹出口１１１ｂから流出した気流は、吹出通路７ａ全体に対応する吹出端７０ａ全体から室内まで流出することができ、この場合、冷房時の吹出量を増大できる。また、上吹出通路７１ａから吹き出された風は、冷気を僅かに突き上げる役割を有し、上吹出通路７１ａから吹き出された冷気は、第１吹出口１１１ａから吹き出された風に対して僅かに突き上げる役割を有し、それにより、冷房するときの温度の均一性をさらに改善する。
【００５０】
さらに、例えば、空気調和機が暖房モードである場合（図５〜図７参照、図における矢印方向は、気流の流れ方向である）、第１開閉機構５を移動させて、第１調整ダクト領域７１１ａを閉じることができ、このとき、第２吹出口１１１ｂから流出した気流は、第１調整ダクト領域７１１ａに対応する部分以外の吹出端７０ａからしか室内まで流出することができず、たとえば、気流は、下吹出通路７２ａに対応する吹出端７０ａの一部から室内まで流出することができ、それにより、第２吹出口１１１ｂから吹き出された温風を下吹出通路７２ａに対応する吹出端７０ａの一部を介して下へ床面まで吹き出すとともに、上吹出通路７１ａから吹き出された風が第１吹出口１１１ａから吹き出された風を突き上げることを回避し又は弱め、それにより、室内の底部の空気温度を向上させ、快適性を向上させる。
【００５１】
好ましくは、第１吹出口１１１ａの箇所には、第１導風ユニットが設置されてもよく、第１導風ユニットは、上下方向に間隔を開けて配列された複数の第１ルーバーを含むことができ、各第１ルーバーは、それぞれ回転可能であり、且つそれぞれの回転軸線が左右方向に延びている。空気調和機が冷房モードである場合、各第１ルーバーの下流端が上へ回転して、各第１ルーバーが気流を斜め上方へガイドするように制御することができ、空気調和機が暖房モードである場合（図７参照）、各第１ルーバーの下流端が下へ回転して、各第１ルーバーが気流を斜め下方へガイドできるように制御することができ、それにより、温度の均一性をさらに改善できる。
【００５２】
だだし、本出願に記載の「複数」は、２つ以上を意味し、本出願に記載の「上流」、「下流」は、いずれも気流の流れ方向に対するものである。
【００５３】
本出願の実施例に係る空気調和機の室内機１００では、空気調和機が動作するとき、第２吹出口１１１ｂの吹出端７０ａを環状にすることで、第２吹出口１１１ｂが周りへ吹き出すようにし、前へ吹き出す第１吹出口１１１ａと連携して、空気調和機の立体的な吹出効果を実現し、室内温度の均一性を改善することができ、且つ、設置された第１開閉機構５により、必要に応じて、第１開閉機構５が第１調整ダクト領域７１１ａを開閉するように制御することができ、空気調和機が冷房運転するとき、第１調整ダクト領域７１１ａを開くことができ、それにより、冷房時の吹出量を向上でき、且つ上吹出通路７１ａから吹き出された風は、冷気を僅かに突き上げる役割を有し、空気調和機が暖房運転するとき、該第１調整ダクト領域７１１ａを閉じることができ、それにより、温風は、下吹出通路７２ａに対応する吹出端７０ａの一部を介して下へ床面まで吹き出され、それにより、室内の底部の空気温度を向上させ、快適性を向上させる。
【００５４】
本出願のいくつかの実施例によれば、第１調整ダクト領域７１１ａと吹出通路７ａとの同一の平面における投影の面積比の値の範囲が１／１０〜１／２であり、上記平面は、第２吹出口１１１ｂの中心軸線に垂直であり、第２吹出口１１１ｂの中心軸線は、前後方向に延びてもよい。それにより、第１調整ダクト領域７１１ａと吹出通路７ａとの同一の平面における投影の面積比を上記範囲内にすることで、第２吹出口１１１ｂの吹出量を確保できるとともに、吹き出された風による快適性を向上できる。
【００５５】
好ましくは、第１調整ダクト領域７１１ａと吹出通路７ａとの同一の平面における投影の面積比は、１／３であり、それにより、吹出量及び快適性の要件を両立させる。
【００５６】
本出願のいくつかの実施例によれば、図４及び図７を参照すると、第１開閉機構５は、上吹出通路７１ａ内に回転可能に設けられ、第１調整ダクト領域７１１ａを開閉する。それにより、第１開閉機構５の回転により、第１調整ダクト領域７１１ａを容易に開閉できる。
【００５７】
本出願のいくつかの好適な実施例によれば、図４及び図７を参照すると、第１開閉機構５は、少なくとも１つの第１導風板５１を含み、すなわち、第１開閉機構５は、１つの第１導風板５１のみを含んでもよく、複数の第１導風板５１を含んでもよく、第１導風板５１は、それぞれ第１調整ダクト領域７１１ａに回転可能に設けられ、第１調整ダクト領域７１１ａを開閉できる。それにより、第１開閉機構５を少なくとも１つの第１導風板５１を含むように設置することで、第１開閉機構５の構成を簡素化することができる。たとえば、第１開閉機構５が１つの第１導風板５１を含む場合、１つの第１導風板５１の回転により、第１調整ダクト領域７１１ａを開閉し、第１開閉機構５が複数の第１導風板５１を含む場合、複数の第１導風板５１の回転により、第１調整ダクト領域７１１ａを開閉することが実現できる。
【００５８】
たとえば、本出願のいくつかの具体的な実施例においては、図４及び図７を参照すると、第１開閉機構５は、複数の第１導風板５１と第１連結ロッド５２とを含む。複数の第１導風板５１は、吹出通路７ａの吹出端７０ａの周方向に沿って配列され、それぞれ第１連結ロッド５２に回転可能に接続され、第１連結ロッド５２は、左右方向に沿って移動可能であり、連結ロッドが移動するとき、複数の第１導風板５１を連動して同期的に回転させることができ、それにより、複数の第１導風板５１の同期回転を実現しやすい。第１開閉機構５が第１調整ダクト領域７１１ａを閉じたとき、複数の第１導風板５１が順次重ね接続され、それにより、第１連結ロッド５２の移動により、複数の第１導風板５１を順次連動して突き合せ位置まで回転させて、第１調整ダクト領域７１１ａを閉じることができ、第１開閉機構５が第１調整ダクト領域７１１ａを開いたとき、隣接する２つの第１導風板５１の間には気流が流れる気流通路が画定され、気流は、該気流通路を介して吹出通路７ａの吹出端７０ａへ流れ、室内まで吹き出され得る。
【００５９】
本出願のいくつかの実施例によれば、図８〜図１２を参照すると、吹出ドアユニット４は、吹出ドアサポート４１と吹出ドア４２とを含み、吹出ドアサポート４１は、ケーシング１内に位置し且つケーシング１に接続され、吹出ドア４２は、ドア本体４２１と、ドア本体４２１に設けられ、吹出ドアサポート４１に接続された接続ベース４２２とを含み、空気調和機の室内機１００が動作するとき、ドア本体４２１は、第２吹出口１１１ｂの前側に位置し且つ第２吹出口１１１ｂと離間しており、吹出ドアサポート４１、吹出ドア４２及びケーシング１の間に、吹出通路７ａが画定される。それにより、設置された吹出ドアサポート４１により、吹出ドア４２を取り付けやすくするとともに、吹出ドア４２を上記ドア本体４２１と接続ベース４２２とを含むように設置することで、吹出ドア４２と吹出ドアサポート４１とが接続されやすくなり、且つドア本体４２１の外周縁とケーシング１との間には、上記吹出通路７ａの吹出端７０ａが画定される。好ましくは、第２吹出口１１１ｂとドア本体４２１は、いずれも円形であってもよい。
【００６０】
本出願のいくつかの好適な実施例によれば、図４、図７及び図１０を参照すると、第１開閉機構５は、吹出ドアサポート４１に移動可能に設けられ、第１調整ダクト領域７１１ａを開閉する。それにより、第１開閉機構５を取り付けやすくし、たとえば、第１開閉機構５を吹出ドアサポート４１に取り付け、次に、吹出ドアサポート４１をケーシング１内に取り付けるようにしてもよい。
【００６１】
さらに、図４、図７及び図１０を参照すると、吹出ドアサポート４１には、吹出通路７ａの一部となる環状通路４１１ａが形成されている。環状通路４１１ａ（たとえば、環状通路４１１ａは、円環状であってもよい）と第２吹出口１１１ｂ（たとえば、第２吹出口１１１ｂは、円形であってもよい）とは、同軸に設置されてもよく、すなわち、環状通路４１１ａの中心軸線は、第２吹出口１１１ｂの中心軸線と重なり、上記基準面の上方に位置する環状通路４１１ａの一部は、上吹出通路７１ａの一部を構成し、上記基準面の下方に位置する環状通路４１１ａの一部は、下吹出通路７２ａの一部を構成する。第１開閉機構５は、環状通路４１１ａ内に回転可能に設けられ、第１調整ダクト領域７１１ａを開閉する。それにより、第１開閉機構５を取り付けやすくするとともに、第１開閉機構５の回転により、第１調整ダクト領域７１１ａを容易に開閉できる。
【００６２】
たとえば、図４及び図７の例においては、吹出ドアサポート４１には、環状通路４１１ａが形成され、環状通路４１１ａは、吹出通路７ａの一部を構成し、円環状であり、第２吹出口１１１ｂは、円形であり、環状通路４１１ａと第２吹出口１１１ｂとは、同軸に設置され、上記基準面の上方に位置する環状通路４１１ａの一部は、上吹出通路７１ａの一部を構成し、上記基準面の下方に位置する環状通路４１１ａの一部は、下吹出通路７２ａの一部を構成する。第１開閉機構５は、上記基準面の上方に位置する環状通路４１１ａの一部に回転可能に設けられ、第１調整ダクト領域７１１ａを開閉する。
【００６３】
第１開閉機構５は、上記複数の第１導風板５１と第１連結ロッド５２とを含み、第１導風板５１は、それぞれ環状通路４１１ａの内壁に回転可能に接続され、それぞれの回転軸線が上下方向に延びており、第１連結ロッド５２は、ほぼ左右方向に延びており、第１導風板５１は、それぞれ第１連結ロッド５２に回転可能に接続される。それにより、第１連結ロッド５２の移動により、複数の第１導風板５１を連動して同期的に回転させることができる。複数の第１導風板５１が順次重ね接続されたとき、複数の第１導風板５１は、第１調整ダクト領域７１１ａを閉じ、隣接する２つの第１導風板５１の間には気流が流れる気流通路が画定されたとき、第１調整ダクト領域７１１ａが開かれ、気流は、該気流通路を介して吹出通路７ａの吹出端７０ａに流れ、室内まで吹き出され得る。
【００６４】
本出願のいくつかの好適な実施例によれば、図８〜図１２を参照すると、吹出ドア４２は、開位置と閉位置との間で前後方向に沿って移動可能であり、吹出ドア４２が開位置にあるとき、ドア本体４２１は、第２吹出口１１１ｂの前側に位置し、且つ第２吹出口１１１ｂと離間しており、第２吹出口１１１ｂを開き、吹出ドア４２が閉位置にあるとき、ドア本体４２１は、第２吹出口１１１ｂと結合して、第２吹出口１１１ｂを閉じる。それにより、吹出ドア４２の前後移動により、第２吹出口１１１ｂを容易に開閉でき、空気調和機が動作するとき、吹出ドア４２は、開位置まで前へ移動して第２吹出口１１１ｂを開き、空気調和機が動作していないとき、吹出ドア４２は、閉位置まで後ろへ移動して第２吹出口１１１ｂを閉じ、外部の塵埃等の異物がケーシング１内に入ることを防止できる。
【００６５】
好ましくは、図１０〜図１２を参照すると、吹出ドアサポート４１と接続ベース４２２のうちの一方には、ガイド溝４１２ｂを有し、吹出ドアサポート４１と接続ベース４２２のうちの他方には、ガイド溝４１２ｂと結合するガイド部４２２１を有し、ガイド部４２２１は、ガイド溝４１２ｂ内に結合し、且つガイド部４２２１とガイド溝４１２ｂは、前後方向に相対移動可能である。それにより、吹出ドア４２が移動するとき、ガイド溝４１２ｂとガイド部４２２１の結合により、ガイド部４２２１とガイド溝４１２ｂが前後方向に相対移動でき、それにより、吹出ドア４２の移動に対してガイド作用を果たし、吹出ドア４２を所定方向に沿って安定的に移動させる。
【００６６】
好ましくは、図１０〜図１２を参照すると、ガイド溝４１２ｂとガイド部４２２１はいずれも環状に形成される。それにより、ガイド溝４１２ｂとガイド部４２２１の接触面積を増大できるとともに、ガイド部４２２１とガイド溝４１２ｂが前後方向に垂直な平面において互いに制限できるようにし、それにより、吹出ドア４２の移動安定性をさらに向上できる。
【００６７】
本出願のいくつかの好適な実施例によれば、図１０〜図１２を参照すると、吹出ドアユニット４は、吹出ドア４２を前後方向に移動するように駆動するための駆動機構４３であって、吹出ドアサポート４１に設けられ且つ接続ベース４２２に接続される駆動機構４３を含む。それにより、設置された駆動機構４３により、吹出ドア４２を移動しやすくし、且つ駆動機構４３を吹出ドアサポート４１に設けることで、駆動機構４３を取り付けやすくし、たとえば、駆動機構４３を吹出ドアサポート４１に取り付け、次に吹出ドアサポート４１をケーシング１内に取り付けるようにしてもよく、また、装置全体の各部のモジュール化に有利である。
【００６８】
好ましくは、図１０を参照すると、駆動機構４３は、複数であり、接続ベース４２２の周方向に沿って配列されている。それにより、吹出ドア４２が安定的にバランスよく移動するように、より安定的に駆動できる。
【００６９】
たとえば、図１０〜図１２の例においては、吹出ドアサポート４１は、サポート本体４１１と、サポート本体４１１に接続される取付部４１２とを含み、サポート本体４１１には、貫通孔が形成され、取付部４１２は、貫通孔の内周壁と離間するように貫通孔内に位置し、取付部４１２の外周壁と貫通孔の内周壁との間には、上記環状通路４１１ａが画定され、取付部４１２の外周壁と貫通孔の内周壁とが複数の接続リブ４１３を介して接続され、複数の接続リブ４１３は、環状通路４１１ａの周方向に沿って間隔を開けて設置されている。
【００７０】
取付部４１２の中央部が前へ凸出して取付部４１２の後側に取付キャビティ４１２ａを形成し、且つ取付キャビティ４１２ａと取付部４１２の外周壁と離間しており、駆動機構４３は３つであり、３つの駆動機構４３は三角形を構成し、３つの駆動機構４３は、該取付キャビティ４１２ａに収容され、３つの駆動機構４３の接続端がそれぞれ上記取付部４１２を貫通して接続ベース４２２に接続される。該取付キャビティ４１２ａの周壁と取付部４１２の外周壁との間には、環状のガイド溝４１２ｂが画定され、接続ベース４２２には、該ガイド溝４１２ｂと結合するガイド部４２２１があり、ガイド部４２２１は、円筒状であり、ガイド溝４１２ｂに挿入され、吹出ドア４２が移動するとき、ガイド溝４１２ｂに沿って前後に摺動し、それにより、吹出ドア４２を安定的に移動させる。
【００７１】
本出願の他の実施例においては、吹出ドア４２と吹出ドアサポート４１とは、固定して接続されてもよく、すなわち、吹出ドア４２は、吹出ドアサポート４１に対向して固定され、常に第２吹出口１１１ｂを開いた位置にある。
【００７２】
本出願のいくつかの好適な実施例によれば、図３、図５、図６及び図１２を参照すると、第２吹出口１１１ｂに向いているドア本体４２１の壁面は、吹出通路７ａの内壁面の一部を構成し、第２吹出口１１１ｂに向いているドア本体４２１の少なくとも一部の壁面は、導流面４２１１として形成され、ドア本体４２１の中心からドア本体４２１の外周縁までの方向において、導流面４２１１は、前へ傾斜して延びている。それにより、ドア本体４２１に導流面４２１１を設置することで、導流面４２１１のガイド作用により、気流を第２吹出口１１１ｂの周り且つ前へガイドでき、それにより、第２吹出口１１１ｂの吹出効果をさらに改善する。
【００７３】
本出願のいくつかの実施例によれば、図２、図３、図５及び図６を参照すると、空気調和機の室内機１００は、ケーシング１内に上下移動可能に設けられ、第１吹出口１１１ａを開閉する開閉ドア８を含む。それにより、開閉ドア８の移動により、第１吹出口１１１ａを容易に開閉でき、空気調和機が動作するとき、開閉ドア８は、上へ移動して第１吹出口１１１ａを開くことができ、空気調和機が動作していないとき、開閉ドア８は、下へ移動して第１吹出口１１１ａを閉じることができ、それにより、外部の塵埃等がケーシング１内に入ることを防止する。
【００７４】
本出願のさらなる実施例においては、図１３〜図１５を参照すると、ケーシング１には、第２吹出口１１１ｂの下方に位置する第３吹出口１１１ｃがさらに形成され、下吹出通路７２ａの少なくとも一部は、第２調整ダクト領域７２１ａであり、たとえば、下吹出通路７２ａの一部のみが第２調整ダクト領域７２１ａであってもよく、下吹出通路７２ａ全体が第２調整ダクト領域７２１ａであってもよい。吹出ドアユニット４は、第２調整ダクト領域７２１ａを開閉するための第２開閉機構６であって、吹出ドアユニット４に移動可能に設けられる第２開閉機構６をさらに含む。
【００７５】
第２開閉機構６の移動により、第２調整ダクト領域７２１ａを開閉できる。第２調整ダクト領域７２１ａが閉じられたとき、第２吹出口１１１ｂから流出した気流は、第２調整ダクト領域７２１ａに対応する部分以外の吹出端７０ａからしか室内まで流出することができず、たとえば、気流は、上吹出通路７１ａに対応する吹出端７０ａの一部から室内まで流出することができる。第２調整ダクト領域７２１ａを開いたとき、第２吹出口１１１ｂから流出した気流は、吹出通路７ａ全体に対応する吹出端７０ａ全体から室内まで流出することができ、このとき、吹出量を増大でき、或いは、第２調整ダクト領域７２１ａを開いたとき、第２吹出口１１１ｂから流出した気流は、第１調整ダクト領域７１１ａに対応する部分以外の吹出端７０ａからしか室内まで流出することができず、たとえば、気流は、下吹出通路７２ａに対応する吹出端７０ａの一部から室内まで流出することができる。
【００７６】
好ましくは、第２開閉機構６は、吹出ドアユニット４に移動可能に設けられてもよく、この場合、第２開閉機構６の移動により、第２調整ダクト領域７２１ａを開閉することができ、第２開閉機構６は、吹出ドアユニット４に回転可能に設けられてもよく、この場合、第２開閉機構６の回転により、第２調整ダクト領域７２１ａを開閉することができる。
【００７７】
それにより、空気調和機が動作するとき、空気調和機の動作モードに応じて、第１調整ダクト領域７１１ａを開閉するように第１開閉機構５を移動させることができ、且つ、第２調整ダクト領域７２１ａを開閉するように第２開閉機構６を移動させることができる。
【００７８】
たとえば、空気調和機が冷房モードである場合（図１４参照）、第１開閉機構５を移動させて、第１調整ダクト領域７１１ａを開くことができ、且つ第２開閉機構６を移動させて、第２調整ダクト領域７２１ａを閉じることができ、このとき、第２吹出口１１１ｂから流出した気流は、第２調整ダクト領域７２１ａに対応する部分以外の吹出端７０ａから室内まで流出することができ、この場合、冷房時の大きな吹出量を有することができ、また、上吹出通路７１ａから吹き出された風は、冷気を僅かに突き上げる役割を有し、上吹出通路７１ａから吹き出された冷気は、第１吹出口１１１ａから吹き出された風に対して僅かに突き上げる役割を有し、それにより、冷房するときの温度の均一性を改善する。且つ、第２吹出口１１１ｂから吹き出された冷気は、上吹出通路７１ａを介して斜め上方へ吹き出され得るとともに、下吹出通路７２ａから吹き出された風が第３吹出口１１１ｃから吹き出された風を下へ押すことを回避し又は弱め、それにより、冷房するときの温度の均一性をより改善する。
【００７９】
また、例えば、空気調和機が暖房モードである場合（図１５参照）、第１開閉機構５を移動させて、第１調整ダクト領域７１１ａを閉じることができ、且つ第２開閉機構６を移動させて、第２調整ダクト領域７２１ａを開くことができ、このとき、第２吹出口１１１ｂから流出した気流は、第１調整ダクト領域７１１ａに対応する部分以外の吹出端７０ａから室内まで流出することができ、この場合、暖房時の大きな吹出量を有することができ、且つ下吹出通路７２ａから吹き出された風は、温かい空気を僅かに下へ押す役割を有し、下吹出通路７２ａから吹き出された温かい空気は、第３吹出口１１１ｃから吹き出された風に対して僅かに下へ押す役割を有し、それにより、暖房するときの温度の均一性をさらに改善する。且つ、第２吹出口１１１ｂから吹き出された温風を下吹出通路７２ａに対応する吹出端７０ａの一部を介して下へ床面まで吹き出すとともに、上吹出通路７１ａから吹き出された風が第１吹出口１１１ａから吹き出された風を突き上げることを回避し又は弱め、それにより、室内の底部の空気温度を向上させ、快適性を向上させる。
【００８０】
好ましくは、第３吹出口１１１ｃの箇所には、第２導風ユニットが設置されてもよく、第２導風ユニットは、上下方向に間隔を開けて配列された複数の第２ルーバーを含むことができ、第２ルーバーは、それぞれ回転可能であり、且つそれぞれの回転軸線が左右方向に延びている。空気調和機が冷房モードである場合、各第２ルーバーの下流端が上へ回転して、各第２ルーバーが気流を斜め上方へガイドするように制御することができ、空気調和機が暖房モードである場合、各第２ルーバーの下流端が下へ回転して、各第２ルーバーが気流を斜め下方へガイドできるように制御することができ、それにより、温度均一性をさらに改善できる。
【００８１】
好ましくは、図１４及び図１５を参照すると、第２開閉機構６は、下吹出通路７２ａ内に回転可能に設けられ、たとえば、第２開閉機構６は、第２調整ダクト領域７２１ａ内に回転可能に設けられ、第２調整ダクト領域７２１ａを開閉する。それにより、第２開閉機構６の回転により、第２調整ダクト領域７２１ａを容易に開閉できる。
【００８２】
たとえば、図１４及び図１５の例においては、吹出ドアユニット４は、上記吹出ドアサポート４１と吹出ドア４２とを含み、吹出ドアサポート４１には、環状通路４１１ａが形成され、環状通路４１１ａは、吹出通路７ａの一部を構成し、円環状であり、第２吹出口１１１ｂは、円形であり、環状通路４１１ａと第２吹出口１１１ｂとは、同軸に設置され、上記基準面の上方に位置する環状通路４１１ａの一部は、上吹出通路７１ａの一部を構成し、上記基準面の下方に位置する環状通路４１１ａの一部は、下吹出通路７２ａの一部を構成する。第１開閉機構５及び第２開閉機構６は、いずれも、環状通路４１１ａ内に回転可能に設けられ、第１開閉機構５は、上記基準面の上方に位置する環状通路４１１ａの一部に設けられ、第１調整ダクト領域７１１ａを開閉し、第２開閉機構６は、上記基準面の下方に位置する環状通路４１１ａの一部に設けられ、第２調整ダクト領域７２１ａを開閉する。
【００８３】
第１開閉機構５は、上記複数の第１導風板５１と第１連結ロッド５２とを含み、複数の第１導風板５１は、環状通路４１１ａの周方向に沿って配列され、それぞれ環状通路４１１ａの内壁に回転可能に接続され、それぞれの回転軸線が上下方向に延びており、第１連結ロッド５２は、ほぼ左右方向に延びており、第１導風板５１は、それぞれ第１連結ロッド５２に回転可能に接続される。それにより、第１連結ロッド５２の移動により、複数の第１導風板５１を連動して同期的に回転させることができる。複数の第１導風板５１が順次重ね接続されたとき、複数の第１導風板５１は、第１調整ダクト領域７１１ａを閉じ、隣接する２つの第１導風板５１の間に気流が流れる気流通路が画定されたとき、第１調整ダクト領域７１１ａが開かれ、気流は、該気流通路を介して吹出通路７ａの吹出端７０ａまで流れ、室内まで吹き出され得る。
【００８４】
さらに、図１４及び図１５を参照すると、第２開閉機構６は、複数の第２導風板６１と第２連結ロッド６２とを含み、複数の第２導風板６１は、環状通路４１１ａの周方向に沿って配列され、それぞれ環状通路４１１ａの内壁に回転可能に接続され、それぞれの回転軸線が上下方向に延びており、第２連結ロッド６２は、ほぼ左右方向に延びており、第２導風板６１は、それぞれ第２連結ロッド６２に回転可能に接続される。それにより、第２連結ロッド６２の移動により、複数の第２導風板６１を連動して同期的に回転させることができる。複数の第２導風板６１が順次重ね接続されたとき、複数の第２導風板６１は、第２調整ダクト領域７２１ａを閉じ、隣接する２つの第２導風板６１の間に気流が流れる気流通路が画定されたとき、第２調整ダクト領域７２１ａが開かれ、気流は、該気流通路を介して吹出通路７ａの吹出端７０ａに流れ、室内まで吹き出され得る。
【００８５】
本出願の第２実施形態に係る空気調和機は、本出願の上記第１実施形態に係る空気調和機の室内機１００である空気調和機の室内機１００と、前記空気調和機の室内機１００に接続されて冷媒サイクルを構成する空気調和機の室外機とを含む。
【００８６】
本出願の実施例に係る空気調和機では、上記空気調和機の室内機１００を設置することにより、空気調和機の立体的な吹出効果を実現し、室内温度の均一性を改善し、且つ空気調和機が暖房運転するとき、室内の底部の空気温度を向上させ、快適性を向上させる。
【００８７】
図２〜図６を参照すると、本出願の第３実施形態に係る空気調和機の制御方法においては、空気調和機は、本出願の上記第２実施形態に係る空気調和機であり、冷房モードと暖房モードを有し、前記制御方法は、以下のステップを含む。
空気調和機の現在の動作モードを判断し、
空気調和機の現在の動作モードに応じて第１開閉機構５を制御し、空気調和機が冷房モードである場合（図３及び図４参照。図における矢印方向は、気流の流れ方向である）、第１開閉機構５を移動させて、第１調整ダクト領域７１１ａを開くことができ、このとき、第２吹出口１１１ｂから流出した気流は、吹出通路７ａ全体に対応する吹出端７０ａ全体から室内まで流出することができ、この場合、冷房時の吹出量を増大できる。また、上吹出通路７１ａから吹き出された風は、冷気を僅かに突き上げる役割を有し、上吹出通路７１ａから吹き出された冷気は、第１吹出口１１１ａから吹き出された風に対して僅かに突き上げる役割を有し、それにより、冷房するときの温度の均一性をさらに改善し、空気調和機が暖房モードである場合（図５〜図７参照。図における矢印方向は、気流の流れ方向である）、第１開閉機構５を移動させて、第１調整ダクト領域７１１ａを閉じることができ、このとき、第２吹出口１１１ｂから流出した気流は、第１調整ダクト領域７１１ａに対応する部分以外の吹出端７０ａからしか室内まで流出することができず、たとえば、気流は、下吹出通路７２ａに対応する吹出端７０ａの一部から室内まで流出することができ、それにより、第２吹出口１１１ｂから吹き出された温風を下吹出通路７２ａに対応する吹出端７０ａの一部を介して下へ床面まで吹き出すとともに、上吹出通路７１ａから吹き出された風が第１吹出口１１１ａから吹き出された風を突き上げることを回避し又は弱め、それにより、室内の底部の空気温度を向上させ、快適性を向上させる。
【００８８】
本出願の実施例に係る空気調和機の制御方法では、空気調和機が冷房運転するとき、冷房時の大きな吹出量を有することができ、空気調和機が暖房運転するとき、室内の底部の空気温度を向上させ、快適性を向上させる。
【００８９】
本出願のいくつかの実施例によれば、図１３〜図１５を参照すると、ケーシング１には、第２吹出口１１１ｂの下方に位置する第３吹出口１１１ｃが形成され、下吹出通路７２ａの少なくとも一部は、第２調整ダクト領域７２１ａであり、たとえば、下吹出通路７２ａの一部のみが第２調整ダクト領域７２１ａであってもよく、下吹出通路７２ａ全体が第２調整ダクト領域７２１ａであってもよい。吹出ドアユニット４は、第２調整ダクト領域７２１ａを開閉するための第２開閉機構６であって、吹出ドアユニット４に移動可能に設けられる第２開閉機構６をさらに含む。
【００９０】
空気調和機が冷房モードである場合（図１４参照）、第１開閉機構５が第１調整ダクト領域７１１ａを開き、且つ第２開閉機構６が第２調整ダクト領域７２１ａを閉じるように制御し、このとき、第２吹出口１１１ｂから流出した気流は、第２調整ダクト領域７２１ａに対応する部分以外の吹出端７０ａから室内まで流出することができ、この場合、冷房時の大きな吹出量を有することができ、また、上吹出通路７１ａから吹き出された風は、冷気を僅かに突き上げる役割を有し、上吹出通路７１ａから吹き出された冷気は、第１吹出口１１１ａから吹き出された風に対して僅かに突き上げる役割を有し、それにより、冷房するときの温度の均一性をさらに改善する。且つ、第２吹出口１１１ｂから吹き出された冷気は、上吹出通路７１ａを介して斜め上方へ吹き出され得るとともに、下吹出通路７２ａから吹き出された風が第３吹出口１１１ｃから吹き出された風を下へ押すことを回避し又は弱め、それにより、冷房するときの温度の均一性をより改善する。
【００９１】
空気調和機が暖房モードである場合（図１５参照）、第１開閉機構５が第１調整ダクト領域７１１ａを閉じ、且つ第２開閉機構６が第２調整ダクト領域７２１ａを開くように制御し、このとき、第２吹出口１１１ｂから流出した気流は、第１調整ダクト領域７１１ａに対応する部分以外の吹出端７０ａから室内まで流出することができ、この場合、暖房時の大きな吹出量を有することができ、且つ下吹出通路７２ａから吹き出された風は、温かい空気を僅かに下へ押す役割を有し、下吹出通路７２ａから吹き出された温かい空気は、第３吹出口１１１ｃから吹き出された風に対して僅かに下へ押す役割を有し、それにより、暖房するときの温度の均一性をさらに改善する。且つ、第２吹出口１１１ｂから吹き出された温風を下吹出通路７２ａに対応する吹出端７０ａの一部を介して下へ床面まで吹き出すとともに、上吹出通路７１ａから吹き出された風が第１吹出口１１１ａから吹き出された風を突き上げることを回避し又は弱め、それにより、室内の底部の空気温度を向上させ、快適性を向上させる。
【００９２】
本明細書の説明において、用語「一実施例」、「いくつかの実施例」、「例示的な実施例」、「例」、「具体例」、又は「いくつかの例」等を参照した説明は、該実施例又は例と組み合わせて説明されている特定の特徴、構造、材料又は特性が、本発明の少なくとも１つの実施例又は例に含まれることを意味する。本明細書において、上記用語の例示的な表現は、必ずしも同じ実施例又は例を意味するわけではない。さらに、説明された特定の特徴、構造、材料又は特性が、任意の１つ又は複数の実施例又は例においては適切な組み合わせで一体化されていてもよい。
【００９３】
本発明の実施例を例示して説明したが、当業者であれば、本発明の原理や精神から逸脱することなく、これらの実施例に対して様々な変更、改定、置換や変形を行うことができ、本発明の範囲が特許請求の範囲及びその等価物により限定されることが理解できる。
【符号の説明】
【００９４】
１００  空気調和機の室内機
１  ケーシング
１１  フロントパネル部材
１１１  上フロントパネル部材
１１１ａ  第１吹出口
１１１ｂ  第２吹出口
１１１ｃ  第３吹出口
１１２  下フロントパネル部材
１２  バックパネル部材
１２ａ  吸込口
１３  カバー部材
１４  ベース部材
２  熱交換器部材
３  ダクト部材
３０  ダクト取付板
３１  第１ダクト部材
３１ａ  第１ダクト
３１ｂ  第１インペラー
３１ｃ  第１モーター
３２  第２ダクト部材
３２ａ  第２ダクト
３２ｂ  第２インペラー
３２ｃ  第２モーター
３３  第３ダクト部材
３３ａ  第３ダクト
３３ｂ  第３インペラー
３３ｃ  第３モーター
４  吹出ドアユニット
４１  吹出ドアサポート
４１１  サポート本体
４１１ａ  環状通路
４１２  取付部
４１２ａ  取付キャビティ
４１２ｂ  ガイド溝
４１３  接続リブ
４２  吹出ドア
４２１  ドア本体
４２１１  導流面
４２２  接続ベース
４２２１  ガイド部
４３  駆動機構
５  第１開閉機構
５１  第１導風板
５２  第１連結ロッド
６  第２開閉機構
６１  第２導風板
６２  第２連結ロッド
７ａ  吹出通路
７０ａ  吹出端
７１ａ  上吹出通路
７１１ａ  第１調整ダクト領域
７２ａ  下吹出通路
７２１ａ  第２調整ダクト領域
８  開閉ドア
【図１】
2021519904.tif 000003
【図２】
2021519904.tif 000004
【図３】
2021519904.tif 000005
【図４】
2021519904.tif 000006
【図５】
2021519904.tif 000007
【図６】
2021519904.tif 000008
【図７】
2021519904.tif 000009
【図８】
2021519904.tif 000010
【図９】
2021519904.tif 000011
【図１０】
2021519904.tif 000012
【図１１】
2021519904.tif 000013
【図１２】
2021519904.tif 000014
【図１３】
2021519904.tif 000015
【図１４】
2021519904.tif 000016
【図１５】
2021519904.tif 000017
【国際調査報告】
2021519904.tif 000018
2021519904.tif 000019
2021519904.tif 000020
2021519904.tif 000021